(57)【要約】【課題】本発明は室内等に設置する簡易便器のシャワーユニットをリモコンスイッチで操作する場合に感度を向上させることを課題とする。【解決手段】シャワーユニット６を装備した簡易便器１の本体枠２の両側板２Ａ，２Ａに肘掛け２Ｇ，２Ｇを取付け、一方の側部にシャワーユニット６の操作センサ５Ａを配置し、該操作センサ５Ａをリモコンスイッチ１２で操作する簡易便器１であって、該肘掛け２Ｇの底面２３Ｇの少なくとも操作センサ５Ａの上方に位置する個所において、該底面２３Ｇを内側に高くなるように傾斜させ、リモコンスイッチ１２からの反射信号光を該操作センサ５Ａに指向させることによって感度を向上する。【選択図】    図２０
2006087726.tif 000002
【特許請求の範囲】
【請求項１】
シャワーユニットを装備した簡易便器の本体枠の両側板に肘掛けを取付け、一方の側部にシャワーユニットの操作センサを配置し、該操作センサをリモコンスイッチで操作する簡易便器であって、該肘掛けの底面の少なくとも操作センサの上方に位置する個所において、該底面を内側に高くなるように傾斜させ、リモコンスイッチからの反射信号光を該操作センサに指向したことを特徴とする簡易便器。
【請求項２】
該肘掛け底面の傾斜角度は水平に対して８°〜１２°の範囲に設定される請求項１に記載の簡易便器。
【請求項３】
該肘掛け底面は反射面とされている請求項１または請求項２に記載の簡易便器。
【発明の詳細な説明】
【技術分野】
【０００１】
本発明は主として病人、老人、身体障害者等が室内で使用する簡易便器に関するものである。
【背景技術】
【０００２】
〔発明の背景〕
従来からシャワーユニットを装備した簡易便器が提供されている。該シャワーユニットの操作盤は通常便器本体の一方の側部に配置されている。
しかしながらこのような配置であると、使用者や介護人が該操作盤のボタンを必要なくして押してしまい、シャワーから洗浄水が噴射して周りに飛び散ると云う問題点があった。
【０００３】
〔従来の技術〕
そこで従来、該シャワーユニットをリモコンスイッチで操作することが提案されている。そしてリモコンスイッチの感度を高めるためにリモコンスイッチを備えたスタンドも提供されている（例えば特許文献１〜３参照）。
【０００４】
【特許文献１】特開２０００−７０１７９号公報
【特許文献２】特開２００２−７８６４０号公報
【特許文献３】登録意匠第１２０３８５４号公報
【発明の開示】
【発明が解決しようとする課題】
【０００５】
しかしながら、便器と別体にリモコンスタンドを準備すると場所をとり、使用者や介護人の邪魔になると云う問題点がある。
【課題を解決するための手段】
【０００６】
本発明は上記従来の課題を解決するための手段として、シャワーユニット６を装備した簡易便器１の本体枠２の両側板２Ａ，２Ａに肘掛け２Ｇ，２Ｇを取付け、一方の側部にシャワーユニット６の操作センサ５Ａを配置し、該操作センサ５Ａをリモコンスイッチ１２で操作する簡易便器１であって、該肘掛け２Ｇの底面２３Ｇの少なくとも操作センサ５Ａの上方に位置する個所において、該底面２３Ｇを内側に高くなるように傾斜させ、リモコンスイッチ１２からの反射信号光を該操作センサ５Ａに指向した簡易便器１を提供するものである。
通常該肘掛け底面２３Ｇの傾斜角度θは水平に対して８°〜１２°の範囲に設定される。また該肘掛け底面２３Ｇは反射面とされていることが望ましい。
【発明の効果】
【０００７】
〔作用〕
簡易便器１の傍らに置いてあるリモコンスイッチ１２を使用者あるいは介護人が適当な方角に向けて操作すると、リモコンスイッチ１２から出た信号光は室内の壁、天井、家具等に反射して床面Ｆに達し、床面Ｆで反射され、簡易便器１の肘掛け２Ｇの底面２３Ｇに達する。
該肘掛け２Ｇの底面２３Ｇの少なくとも操作センサ５Ａの上方に位置する個所は、内側に高くなるように傾斜しているから、該肘掛け２Ｇの底面２３Ｇにより該信号光は操作センサ５Ａ方向に指向される。
一般に該信号光を指向する肘掛け２Ｇの底面２３Ｇの傾斜角度θは水平に対して８°〜１２°の範囲に設定される。
また該肘掛け２Ｇの底面２３Ｇが反射面とされていると、信号光の反射効率が向上する。
【０００８】
〔効果〕
本発明にあっては、シャワーユニット６の操作をリモコンスイッチ１２で行なうから、リモコンスイッチ１２を誤って操作しないようなしかもすぐ手の届くような位置において置くことが出来、またリモコンスイッチ１２は小型であるから場所をとらず、そして肘掛け底面２３Ｇを傾斜させて該底面２３Ｇで反射する信号光を操作センサ５Ａの方向に指向するから、操作センサ５Ａの感度が大巾に向上する。
【発明を実施するための最良の形態】
【０００９】
本発明を図１〜図２２に示す一実施例によって説明する。
図１に示すように、本実施例の簡易便器１は、便器本体枠２、有底汚水受け３、スライド支持枠４、シャワーユニット６を後端に配した便座５、便容器７および物入れ８とからなる。該便器本体枠２のみは木製とされ、その他の部材３，４，５，６，７，８は合成樹脂製とされる。
【００１０】
〔便器本体枠２〕
該便器本体枠２は左右側板２Ａ，２Ａと、該左右側板２Ａ，２Ａの後端から立設される背もたれ枠２Ｂ，２Ｂと、該左右側板２Ａ，２Ａの前端に差渡され、前方に凸に彎曲している前面板２Ｃと、該左右側板２Ａ，２Ａの後端部上部に差渡されている横梁２Ｄと、該横梁２Ｄの下側において該左右側板２Ａ，２Ａに差渡されている背面板２Ｅとからなり、該左右側板２Ａ，２Ａの内側上部には支持梁２Ｆ，２Ｆが前後方向に沿って取付けられている。そして該横梁２Ｄには左右一対の嵌合孔２１Ｄ，２１Ｄが設けられている。
【００１１】
該便器本体枠２の左右には肘掛け２Ｇ，２Ｇが取付けられており、該肘掛け２Ｇ，２Ｇは根端部を該左右側板２Ａ，２Ａに支持されている支柱２１Ｇ，２１Ｇと、前端部を該支柱２１Ｇ，２１Ｇに、後端部を該左右側板２Ａ，２Ａの背もたれ枠２Ｂ，２Ｂに支持されている肘掛け本体２２Ｇ，２２Ｇとからなる。
更に該左右背もたれ枠２Ｂ，２Ｂの上端部には、背もたれクッション２Ｈが差出されている。
【００１２】
該左右側板２Ａ，２Ａには図３に示すような脚部２Ｉが取付けられている。該脚部２Ｉは基板２１Ｉと、該基板２１Ｉから立設されている前後一対の脚板２２Ｉ，２２Ｉとからなり、該脚板２２Ｉ，２２Ｉにはボルト孔２３Ｉ，２３Ｉが複数個（７個）縦設されている。
【００１３】
図４に示すように、該左右側板２Ａ，２Ａの内面には前後にそれぞれ一対の縦ガイド桟２４Ｉ，２４Ｉが取付けられており、図５に示すように該縦ガイド桟２４Ｉ，２４Ｉの内辺間隔Ｗは該脚部２Ｉの横巾に略等しく設定されており、更に該縦ガイド桟２４Ｉ，２４Ｉの厚みｄは脚板２２Ｉの厚みに略等しく設定されており、また縦ガイド桟２４Ｉ，２４Ｉの一方には覆板２５Ｉが取付けられている。該覆板２５Ｉは該一対の縦ガイド桟２４Ｉ，２４Ｉに差渡されてもよい。
【００１４】
上記一対の縦ガイド桟２４Ｉ，２４Ｉと覆板２５Ｉとによって該脚部２Ｉの脚板２２Ｉ，２２Ｉの取付部２６Ｉが構成され、該脚部２Ｉの脚板２２Ｉ，２２Ｉは該取付部２６Ｉに挿入される。そして便器本体枠２が所望の高さになるように該脚板２２Ｉ，２２Ｉのボルト孔２３Ｉのうちの一つを選び、図６に示すように左右側板２Ａ，２Ａに設けられたボルト貫通孔２Ｊを介して外側からボルト２Ｋを螺着し固定する。この状態で該脚部２Ｉの脚板２２Ｉは左右前後のぶれを縦ガイド桟２４Ｉと覆板２５Ｉとによって阻止され、該脚部２Ｉは該便器本体枠２にがたつきのないように取付けられる。
このようにして該便器本体枠２は脚部２Ｉの脚板２２Ｉのボルト孔２３Ｉの数だけ段階的に高さを調節することが出来る。
【００１５】
〔有底汚水受け３〕
有底汚水受け３は有底の汚水受け本体３Ａと、該本体３Ａの上縁左右前後に差出されている縁部３１Ａ，３１Ｂ，３１Ｃ，３１Ｄとからなり、後端縁部３１Ｄには左右一対の取付け筒３Ｂ，３Ｂが下方に向けて差出されており、該取付け筒３Ｂ，３Ｂは該便器本体枠２の横梁２Ｄの嵌合孔２１Ｄ，２１Ｄにそれぞれ嵌合されるようになっている。また前端縁部３１Ａの中央部は若干凹ませて後記するスライド支持枠４を前方へ引出す際の手掛り凹部３２Ａとされている。更に該本体３Ａ内周上部後半にはスライド支持枠４を支持する支持段部３Ｃが形成されており、該支持段部３Ｃの両前端は該スライド支持枠４のスライドを規制するための係止斜面３Ｄがそれぞれ形成されている。
【００１６】
〔スライド支持枠４〕
スライド支持枠４の枠本体４Ａの内側には便容器７の挿入孔４Ｂが設けられており、該枠本体４Ａの前端両側には平面三角形状の凸部４Ｃ，４Ｃが突設されており、該枠本体４Ａの両側部後半部下面は該有底汚水受け３の支持段部３Ｃの係止斜面３Ｄに当接するようにされている係止段部４Ｄ，４Ｄが形成されている。また該枠本体４Ａの内周前半部には便容器７を懸架支持するための受け溝４Ｅが設けられ、後半部には受け段部４Ｆが形成されている。
【００１７】
〔シャワーユニット６付便座５〕
該スライド支持枠４の上側にはシャワーユニット６付便座５が載置されるが、該シャワーユニット６のシャワー機構はハウジング６Ａ内に収納されており、該シャワーユニットハウジング６Ａの前縁部には便座５の根端が枢着され、かくして該便座５は跳ね上げ可能とされている。
【００１８】
図１４に示すように、該シャワーユニット６のハウジング６Ａの底部からは左右一対の取付棒６Ｂ，６Ｂが下方に向けて差出されており、該取付棒６Ｂ，６Ｂは該有底汚水受け３の後端縁部３１Ｄの取付け筒３Ｂ，３Ｂにそれぞれ内挿されるようになっている。
なお便座５の一方の側部にはリモコン操作センサ５Ａが具備されている。
【００１９】
〔便容器７〕
該便容器７は本体７Ａと、図７イ、ロに示す該本体７Ａの上縁に設けられているコの字形折曲げフランジ７Ｂと、該本体７Ａに枢着されている把手７Ｃと、該本体７Ａに被着される蓋７Ｄとからなる。
【００２０】
〔物入れ８〕
該物入れ８には水タンク収容部８Ａと、便容器７の蓋７Ｄの収容部８Ｂと、消臭剤等の容器入れ部８Ｃとが設けられており、前部にはコの字形の取付け部８Ｄが設けられている。
【００２１】
〔組立て〕
上記部材により簡易便器１の組立て方を説明する。
まず図８に示すように物入れ８を該便器本体枠２の背面板２Ｅに取付ける。該物入れ８を該背面板２Ｅに取付けるには、該物入れ８の取付部８Ｄを該背面板２Ｅに外側嵌合する。
【００２２】
次いで図９、図１０、図１１に示すように該便器本体枠２の上から該有底汚水受け３を挿入懸架する。該有底汚水受け３の後端縁部３１Ｄの取付け筒３Ｂ，３Ｂは該便器本体枠２の横梁２Ｄの嵌合孔２１Ｄ，２１Ｄに嵌着され、前端縁部３１Ａは該便器本体枠２の前面板２Ｃの上縁に支持される。
【００２３】
図１２に示すように該有底汚水受け３の上にはスライド支持枠４が載置される。該スライド支持枠４の両側部後半部下面と後端縁部３１Ｄ下面とは該有底汚水受け３の支持段部３Ｃ上に支持され、該スライド支持枠４の前縁部下面が該有底汚水受け３の前端縁部３１Ａ上に支持されている。
【００２４】
図１３、図１４に示すように、該スライド支持枠４内には便容器７が挿入懸架される。該便容器７は本体７Ａ上縁の折曲げフランジ７Ｂを該スライド支持枠４の内周前半部の受け溝４Ｅに係止し、更に後半部の受け段部４Ｆに当接支持させる。
【００２５】
図１３、図１４に示すように、該スライド支持枠４の上側には便座５を載置する。該便座５は前記したようにシャワーユニット６のハウジング６Ａの前縁部に枢着され、跳ね上げ可能になっている。図１５に示されるように該シャワーユニット６のハウジング６Ａの底部の取付棒６Ｂ，６Ｂは、該有底汚水受け３の後端縁部３１Ｄの取付け筒３Ｂ，３Ｂにそれぞれ内挿される。該便座５を載置した状態で該スライド支持枠４の凸部４Ｃ，４Ｃの上面と該便座５の上面とが同一レベルになり段差が解消される。
【００２６】
図１６には便容器７に蓋７Ｄを被着した状態の簡易便器１が示される。そして図１７に示すように該便座５の上には座部９が載置され、この状態では該簡易便器１は椅子として機能する。図１８には物入れ８の水タンク収容部８Ａに水タンク１０を収容し、更に容器入れ部８Ｃに消臭剤容器１１等を入れた状態が示される。
【００２７】
本簡易便器１は図１９に示すように便座５を前倒してスライド支持枠４上に配置した状態で使用する。使用後はリモコンスイッチ１２を適当な方角に向けてシャワースイッチを押すと、リモコンスイッチ１２から発射された信号光は、図２０に示すように室内の壁、天井、家具等に反射して床面Ｆに至り、該床面Ｆに反射されて肘掛け本体２２Ｇに当たり更に反射される。この場合該肘掛け本体２２Ｇの少なくとも操作センサ５Ａ上方の底面２３Ｇを内側に高くなるように傾斜させておくと、該底面２３Ｇから反射された信号光は操作センサ５Ａ方向に指向され、操作センサ５Ａの感度が向上する。該肘掛け本体２２Ｇの底面２３Ｇは、該肘掛け本体２２Ｇ全長にわたって傾斜されてもよいし、操作センサ５Ａ上方に位置する個所のみ傾斜されてもよい。また該肘掛け本体２２Ｇの底面２３Ｇにアルミ箔等の金属箔を張ったり、アルミニウムペースト、銀ペースト等の金属ペーストを塗布して反射面とすると、操作センサ５Ａの感度は一層向上する。該肘掛け本体２２Ｇの底面２３Ｇの傾斜角度θは８°〜１２°の範囲に設定することが望ましく、更に最適角度はθ＝１０°である。
【００２８】
使用中の糞尿、洗浄水等が便容器７からあふれても、これら汚物は有底汚水受け３に受止されるので室内床等の汚染は確実に防止される。
【００２９】
使用後は便座５を跳ね上げ状態とし、汚物の入った便容器７を把手７Ｃを介して簡易便器１から取出し、汚物を常設便所等の廃棄場所まで運んで廃棄する。上記便容器７を簡易便器１から取出す場合、図１４に示すようにシャワーユニット６の前端部分が干渉してこのまゝでは便容器７が取出せない。そこでスライド支持枠４を該有底汚水受け３の手掛り凹部３２Ａを手がかりとして図２１、図２２に示すように前方へ引き出す。そうすると、該スライド支持枠４に懸架支持されている便容器７もスライド支持枠４と共に前方へ移動してシャワーユニット６に干渉されることなく、上方へ引出すことが出来る。
【００３０】
最前位置で該スライド支持枠４の下面の係止段部４Ｄが、有底汚水受け３の支持段部３Ｃの係止斜面３Ｄに当接し、これ以上前にスライドしないようになっている。
【００３１】
上記簡易便器１を部材毎に分解するには、上記したように便容器７を簡易便器１から取出し、シャワーユニット６の取付棒６Ｂ，６Ｂを有底汚水受け３の取付け筒３Ｂ，３Ｂから抜き出して便座５と共にシャワーユニット６をスライド支持枠４上から撤去し、次いでスライド支持枠４を有底汚水受け３上から撤去し、更に該有底汚水受け３の取付け筒３Ｂ，３Ｂを便器本体枠２の横梁２Ｄの嵌合孔２１Ｄ，２１Ｄから抜き出し、該有底汚水受け３を該便器本体枠２から撤去する。更に物入れ８の取付け部８Ｄを便器本体枠２の背面板２Ｅからはずして、該物入れ８を取はずす。
【００３２】
本発明では、上記実施例以外、物入れ８は有底汚水受け３と一体的に設けてもよい。
【産業上の利用可能性】
【００３３】
本発明の簡易便器のシャワーユニットはリモコンスイッチで操作出来るので、誤操作が殆どなく、室内等に設置して老人、病人、身障者等が使用するのに好適である。
【図面の簡単な説明】
【００３４】
図１〜図２２は本発明の一実施例を示すものである。
【図１】分解斜視図
【図２】便器本体枠後側斜視図
【図３】脚部斜視図
【図４】便器本体枠中央側断面図
【図５】脚部取付構造説明斜視図
【図６】脚部取付構造説明正断面図
【図７】イ．便容器本体斜視図          ロ．折り曲げフランジ部断面図
【図８】便器本体枠に物入れを取付けた状態の後側斜視図
【図９】便器本体枠に有底汚水受けを挿入懸架した状態の後側斜視図
【図１０】便器本体枠に有底汚水受けを挿入懸架した状態の側断面図
【図１１】便器本体枠に有底汚水受けを挿入懸架した状態の前側斜視図
【図１２】有底汚水受け上にスライド支持枠を載置した状態の側断面図
【図１３】スライド支持枠に便容器を挿入懸架し更に便座とシャワーユニットを載置した状態の正断面図
【図１４】スライド支持枠に便容器を挿入懸架し更に便座とシャワーユニットを載置した状態の側断面図
【図１５】シャワーユニット取付け状態説明図
【図１６】便座シャワーユニット取付け状態斜視図
【図１７】座部を載置した状態の斜視図
【図１８】物入れに水タンク等を収納した状態の後側斜視図
【図１９】便器使用状態の説明斜視図
【図２０】リモコン操作説明図
【図２１】スライド支持枠を前方に引出した状態の側断面図
【図２２】スライド支持枠を前方に引出した状態の斜視図
【符号の説明】
【００３５】
１        簡易便器
２        便器本体枠
２Ａ      側板
２Ｂ      背もたれ枠
２Ｃ      前面板
２Ｄ      横梁
２１Ｄ    嵌合孔
２Ｅ      背面板
２Ｆ      支持梁
２Ｇ      肘掛け
２１Ｇ    支柱
２２Ｇ    肘掛け本体
２３Ｇ    底面
２Ｈ      背もたれクッション
２Ｉ      脚部
２１Ｉ    基板
２２Ｉ    脚板
２３Ｉ    ボルト孔
２４Ｉ    縦ガイド桟
２５Ｉ    覆板
２６Ｉ    取付部
２Ｊ      ボルト貫通孔
２Ｋ      ボルト
３        有底汚水受け
３Ａ      本体
３１Ａ，３１Ｂ，３１Ｃ，３１Ｄ    縁部
３２Ａ    手掛り凹部
３Ｂ      取付け筒
３Ｃ      支持段部
３Ｄ      係止斜面
４        スライド支持枠
４Ａ      枠本体
４Ｂ      挿入孔
４Ｃ      凸部
４Ｄ      係止段部
４Ｅ      受け溝
５        便座
５Ａ      操作センサ
６        シャワーユニット
６Ａ      ハウジング
６Ｂ      取付棒
７        便容器
７Ａ      本体
７Ｂ      折曲げフランジ
７Ｃ      把手
７Ｄ      蓋
８        物入れ
８Ａ      水タンク収容部
８Ｂ      便容器蓋の収容部
８Ｃ      容器入れ部
８Ｄ      取付部（係合部）
９        座部
１０      水タンク
１１      消臭剤容器
１２      リモコンスイッチ
【図１】
2006087726.tif 000003
【図２】
2006087726.tif 000004
【図３】
2006087726.tif 000005
【図４】
2006087726.tif 000006
【図５】
2006087726.tif 000007
【図６】
2006087726.tif 000008
【図７】
2006087726.tif 000009
【図８】
2006087726.tif 000010
【図９】
2006087726.tif 000011
【図１０】
2006087726.tif 000012
【図１１】
2006087726.tif 000013
【図１２】
2006087726.tif 000014
【図１３】
2006087726.tif 000015
【図１４】
2006087726.tif 000016
【図１５】
2006087726.tif 000017
【図１６】
2006087726.tif 000018
【図１７】
2006087726.tif 000019
【図１８】
2006087726.tif 000020
【図１９】
2006087726.tif 000021
【図２０】
2006087726.tif 000022
【図２１】
2006087726.tif 000023
【図２２】
2006087726.tif 000024